(57)【特許請求の範囲】
【請求項１】
ユーザが通信ネットワーク上でアプリケーションを提供するサーバ装置に登録して、該ユーザの紹介者に報償が提供されるようにするためのシステムにおいて、サーバ装置は、
登録済みユーザの通信端末装置のメールアドレス及び電話番号の少なくとも一方を含んだユーザ情報を記憶したユーザ情報データベースと、
ユーザの登録処理を行う手段と、
登録済みユーザの通信端末装置にアプリケーションがインストールされた後に、該通信端末装置に記憶された他のユーザ及びその連絡先を含んだ連絡先一覧を取得する連絡先一覧取得手段と、
取得された連絡先一覧に含まれるユーザが、ユーザ情報データベースに登録済みユーザとして記憶されているかどうかを検索する手段と、
連絡先一覧に含まれるユーザが登録済みユーザとして記憶されている場合に、一致する全てのユーザを紹介者候補として含んだ紹介者候補リストを作成して、アプリケーションをインストールしたユーザの通信端末装置に提供する手段と、
紹介者候補のリストからユーザにより選択された紹介者を、該ユーザに紐付けてユーザ情報データベースに記憶する紹介者特定手段と、
登録済みユーザの通信端末装置にアプリケーションをインストールしたとき、アプリケーションのチュートリアルが完了したとき、又は、アプリケーションのチュートリアルが完了した後に所定の条件を満たしたときに、紹介者特定手段により特定された紹介者の報償に紹介報償を付加する報償提供手段と
を備えていることを特徴とするシステム。
【請求項２】
請求項１記載のシステムにおいて、連絡先一覧取得手段はさらに、ユーザの通信端末装置にアプリケーションがインストールされたときに、ユーザの通信端末装置に現在登録されている連絡先一覧に加えて、通信履歴に含まれている他のユーザ及びその連絡先を連絡先一覧として取得するよう構成されていることを特徴とするシステム。
【請求項３】
請求項１又は２記載のシステムにおいて、
サーバ装置はさらに、ユーザを認証する認証手段であって、ＳＮＳのＩＤを入力する入力欄をユーザの通信端末装置に表示する認証手段を備え、
ＳＮＳのＩＤが入力されて認証手段により認証された場合、連絡先一覧取得手段は、入力され認証された当該ＳＮＳのＩＤに紐付けられたＳＮＳ内の友達ＩＤをＳＮＳから取得するよう構成されており、取得した友達ＩＤと一致するＳＮＳのＩＤがユーザ情報データベースに記憶された登録済みユーザは、紹介者候補となる
ことを特徴とするシステム。
【発明の詳細な説明】
【背景技術】
【０００１】
Androidやiphoneなどのスマートフォンやタブレット端末等のユーザ個人用の通信端末装置上で行われるゲーム等のアプリケーションには、該アプリケーションのプラットフォームにすでに登録済みのユーザが、友達等の知り合いにそのアプリケーションを紹介し、該知り合い（被紹介者）がそのアプリケーションを利用すると、紹介者がアイテムやポイントなどの報酬をもらえる方式を採用しているものがある。このような招待報酬システムを採用している場合、どのユーザがどのユーザを紹介したのかを紐付けて、その成果を確定するために、知り合いを紹介したいユーザは、自分の招待コード（招待ID）をサーバに予め登録しておき、その招待コードを、紹介したい知り合いに記入してもらう方式が一般的である。
【発明の概要】
【発明が解決しようとする課題】
【０００２】
上記した紹介報酬システムを採用しているアプリケーションにおいては、以下のような問題がある。
招待コードをアプリケーションのプラットフォームに登録時に記入するのは面倒である。特に、スマートフォンの場合は、コピー＆ペーストがしづらい状況もある。
また、紹介者は、「○○ゲームがお勧めです。良かったら招待コード○○○○○○を記入してね」等の推薦を口頭で又はネット上で知り合いに連絡する必要があり、その時に、自分が報酬を得たいために、そのゲームを知り合いに勧めているという気持ちがでてしまう。また、知り合いには、ゲームが面白いから勧めるというよりも、「私のために協力してほしい」というように受け取られやすい。したがって、知り合いに何か借りを作るような感じがして、紹介するのを躊躇してしまう場合も考えられる。
【０００３】
なお、上記した招待コード方式を利用しない例として、mobage GREE LINE 等があげられるが、これらにおいては、プラットフォーム内部のユーザが相互にすでに紐付けられているので、招待コードは必要なく、内部ミニメールやチャットメッセージで知り合いを誘うことができる。しかしながら、プラットフォーム外部の知り合いを誘うには、まずプラットフォームに新規登録を勧めなければならず、その場合、新規登録の推奨及び新規登録後のゲーム等のアプリケーションの紹介の二重の手数がかかる。また、プラットフォーム内部のユーザを誘う場合でも、ミニメールやチャットにより誘導されて被紹介者がアプリケーションを利用し始めると、紹介者(招待者)と被紹介者(被招待者)が自動的に特定されるので、やはり紹介者は、「自分のために（自分の報酬目当てに）」被紹介者を誘ったと被紹介者に受け取られるのではないかと思い、紹介を躊躇してしまう可能性がある。
【０００４】
本発明は、上記したような従来例の問題点に鑑みてなされたものであり、その目的は、ネット上のメールやチャット又は通常の会話で、知り合いに単にアプリケーションを勧めるだけ又は話題にするだけで、その知り合いが招待コードを記入しなくても、当該アプリケーションのプラットフォームに登録してアプリケーションの利用を開始した際に、招待が成立するようにするためのアプリケーション紹介報償システムを提供することである。
【課題を解決するための手段】
【０００５】
上記した従来例の問題点を解決するために、本発明に係る、ユーザが通信ネットワーク上でアプリケーションを提供するサーバ装置に登録して、アプリケーションをインストールしたとき又は所定の条件を満たしたときに、該ユーザの紹介者に報償が提供されるようにするためのシステムにおいて、サーバ装置は、
登録済みユーザの通信端末装置のメールアドレス及び電話番号の少なくとも一方を含んだユーザ情報を記憶したユーザ情報データベースと、
ユーザの登録処理を行う手段と、
登録済みユーザの通信端末装置にアプリケーションがインストールされた後に、該通信端末装置に記憶された他のユーザ及びその連絡先を含んだ連絡先一覧を取得する連絡先一覧取得手段と、
取得された連絡先一覧に含まれるユーザが、ユーザ情報データベースに登録済みユーザとして記憶されているかどうかを検索する手段と、
連絡先一覧に含まれるユーザが登録済みユーザとして記憶されている場合に、一致する全てのユーザを紹介者候補として含んだ紹介者候補リストを作成して、アプリケーションをインストールしたユーザの通信端末装置に提供する手段と、
紹介者候補のリストからユーザにより選択された紹介者を、該ユーザに紐付けてユーザ情報データベースに記憶する紹介者特定手段と、
登録済みユーザの通信端末装置にアプリケーションをインストールしたとき又は所定の条件を満たしたときに、紹介者特定手段により特定された紹介者の報償に紹介報償を付加する報償提供手段と
を備えていることを特徴としている。
【０００６】
上記した本発明に係るシステムにおいて、連絡先一覧取得手段はさらに、ユーザの通信端末装置にアプリケーションがインストールされたときに、ユーザの通信端末装置に現在登録されている連絡先一覧に加えて、通信履歴に含まれている他のユーザ及びその連絡先を連絡先一覧として取得するよう構成されていることが好適である。サーバ装置はさらに、ユーザを認証する認証手段であって、ＳＮＳのＩＤを入力する入力欄をユーザの通信端末装置に表示する認証手段を備え、ＳＮＳ_ＩＤが入力されて認証手段により認証された場合、連絡先一覧取得手段は、ＳＮＳ_ＩＤに紐付けられたＳＮＳ内の友達ＩＤのユーザの連絡先をＳＮＳから取得して、該友達ＩＤのユーザ及びその連絡先を、紹介者候補として連絡先データベースに記憶するよう構成されていることが好ましい。また好適には、紹介報償を付加する所定の条件は、アプリケーションのインストール後の初回起動又はチュートリアル完了である。
【図面の簡単な説明】
【０００７】
【図１】本発明に係るアプリケーション紹介報償システムの構成を示す概略説明図である。
【図２】図１に示したアプリケーション紹介報償システムのサーバ装置のデータベースに格納されるデータを説明するための模式図である。
【図３】図１に示したアプリケーション紹介報償システムのサーバ装置において実行されるユーザ登録時の動作処理を説明するためのフロー図である。
【発明を実施するための形態】
【０００８】
図1は、本発明に係るサーバ装置を備えたアプリケーション紹介報償システムの概略構成を示しており、図1において、１はアプリケーションの管理等を行うサーバ装置、２（２ａ、２ｂ、２ｃ、２ｄ）は、スマートフォンやタブレット端末等のユーザ個人用の通信端末装置、３は通信ネットワークである。それぞれの通信端末装置２は、無線又は有線で通信ネットワーク３に接続され、該通信ネットワーク３を介して相互に通信可能であり、また、サーバ装置１と通信可能である。
サーバ装置１は、複数のコンピュータプログラムユニット及びユーザ情報データベース（ＤＢ）１２により構成されており、該プログラムユニットとして、ユーザ登録受付部１１、アプリケーション提供部１３、連絡先一覧取得部１４、紹介者候補リスト作成／紹介者特定部１５、報償管理部１６を備えている。
【０００９】
ユーザ情報ＤＢ１２は、ユーザ登録受付部１１によって受け付けられて登録されたユーザ名及びその連絡先（すなわち、登録済みの通信端末装置２のメールアドレス及び電話番号の少なくとも一方）をユーザ（ユーザＩＤ）に関連づけて記憶しているとともに、登録済みユーザのポイント等の報償をユーザに対応付けて記憶している。また、登録済みユーザの被紹介者を記憶している。
【００１０】
ユーザ登録受付部１１は、未登録であるユーザの新規登録を受け付ける機能を有し、該ユーザの通信端末装置上にユーザ登録のための入力画面を表示する。ユーザ登録画面には、少なくとも、ユーザの名前、メールアドレス、及び電話番号を入力する入力欄が設けられている。入力されたユーザ情報はＤＢ１２に記憶される。
【００１１】
アプリケーション提供部１３は、ユーザ登録受付部１１におけるユーザ登録が完了した場合に、アプリケーションをユーザの通信端末装置２に配信して該通信端末装置にインストールさせる機能を有する。なお、アプリケーションの提供は、ユーザ登録時ではなく、登録済みユーザがアプリケーションを利用するためにアクセスしてきた場合に該ユーザの通信端末装置にインストールするように配信しても良い。
【００１２】
連絡先一覧取得部１４は、ユーザ通信端末装置の電話帳等に現状で登録されている友人、親戚等（他のユーザ）の連絡先を含んだ他のユーザの情報の連絡先一覧を取得する。このような連絡先一覧の取得は、登録済みユーザの通信端末装置にインストールされるアプリケーションに、該通信端末装置の電話帳に登録されている他のユーザの連絡先を、該アプリケーションのインストール時に自動的に送信するための機能を組み入れることにより、実行される。なお、登録済みの通信端末装置に、過去のメール及び電話の通信履歴が残っていて読み出せる場合（例えば、スマートフォンの場合）、それら履歴に含まれる連絡先も、アプリケーションのインストール時に自動的に送信されるようにしてもよい。
【００１３】
紹介者候補リスト作成／紹介者特定部１５は、連絡先一覧取得部１４によって取得された連絡先一覧に含まれる友人、親戚等の他のユーザが、ユーザ情報ＤＢ１２に登録済みユーザとして存在するかどうかを検索し、存在する場合に、該登録済みユーザ全ての名前及び連絡先を紹介者候補として載せた紹介者候補リストを作成し、アプリケーションがインストールされた新規登録ユーザの通信端末装置２に配信し表示させる。そして、新規登録ユーザが紹介者候補リスト上で紹介者を選択すると、該選択された紹介者を、新規登録ユーザに紐付けてユーザ情報ＤＢ１２に記憶する。
【００１４】
報償管理部１６は、紹介者候補リスト作成／紹介者特定部１５により紹介者として特定された登録済みユーザのポイント等の報償を計算し、その結果を、該ユーザに対応付けてユーザ情報ＤＢ１２に記憶されている報償に累積する。なお、この報償は、ユーザが新規登録して、該ユーザの通信端末装置にアプリケーションがインストールされた時点や、インストール後のアプリケーションの初回起動、あるいはチュートリアル完了等の条件で、紹介者と被紹介者との関係を確定し、該関係の確定後に、紹介者であるユーザの報償（紹介報償）として累積してもよい。さらに、上記した条件が成立した場合であっても、さらに何らかの条件、例えば、チュートリアル完了後にレベル○○まで進んだ場合に、紹介報償を加算するようにしてもよい。また、被紹介者となる新規登録ユーザにも報償（被紹介者報償）が付与されるようにしてもよい。
【００１５】
図２（Ａ）は、ユーザ情報ＤＢ１２に記憶された情報を説明するための説明図である。なお、図２（Ａ）の例では、通信端末装置２ａ及び２ｂをサーバ装置１に登録済みユーザＡ及びＢの通信端末装置とし、したがって、通信端末装置２ｃ及び２ｄをサーバ装置１に未登録のユーザＣ及びＤの通信端末装置としている。そして、ユーザＢの紹介者はユーザＡであるとしている。
ユーザ情報ＤＢ１２に記憶されているデータが図２（Ａ）の状態である場合のユーザ登録時の動作を、図３のフロー図を参照して説明する。
【００１６】
未登録の通信端末装置２ｃのユーザＣが、アプリケーションを利用することを希望してアクセスしてきた場合、ステップＳ１において、ユーザ登録受付部１１はユーザ登録のための入力ページを提供する。該登録入力ページ上でユーザＣが自身のすなわち通信端末装置２ｃの連絡先を入力すると、ステップＳ２において、ユーザ登録受付部１１は、ＤＢ１２を検索して、該通信端末装置２ｃのユーザＣが既に登録されているかどうかを判定する。この例においては、ユーザＣは登録されていないので、ステップＳ２からステップＳ４に移行して、ユーザＣのユーザ情報をＤＢ１２に登録する。
そして、ステップＳ５において、アプリケーション提供部１３が通信端末装置２ｃにアプリケーション（ＡＰ）を配信して、該通信端末装置２ｃにインストールさせると、該アプリケーションに埋め込まれたプログラムにより、通信端末装置２ｃに現在記憶されている電話帳等の連絡先一覧が自動的に読み出されて送信され、ステップ６において、連絡先一覧取得部１４がそれを受信する。
【００１７】
次いで、ステップＳ７において、紹介者候補作リスト作成／紹介者特定部１５が、ユーザ情報ＤＢ１２に記憶されている登録済みユーザと連絡先一覧に含まれる他のユーザ（友人、親戚等）のユーザとを対比して、連絡先一覧に含まれている他のユーザと一致する登録済みユーザを検出し、ステップＳ８において、該一致する登録済みユーザ全てを紹介者候補として載せた紹介者候補リストを作成し、通信端末装置２ｃに送信して該リストから１人の紹介者をユーザＣに選択させる。ユーザＣから入手した連絡先一覧にユーザＡ及びユーザＢが含まれている場合には、これら２人のユーザが紹介者候補リストに記載され、その結果、ユーザＣがユーザＡを紹介者として選んだ場合、ステップＳ９において、ユーザＣの紹介者としてユーザＡをＤＢ１２に記憶する。そして、ステップＳ３において、確認のために登録済みの内容を通信端末装置２ｃに通知し、ユーザ登録の処理が終了する。図２（Ｂ）は、ユーザＣの登録処理が終了した後のユーザ情報ＤＢ１２のデータを示している。
【００１８】
このように、未登録であった通信端末装置２ｃのユーザＣが登録され、かつ、ユーザＣの紹介者としてユーザＡが特定された場合、報償管理部１６は、ＤＢ１２に記憶されているユーザＡの報償に、紹介報償を加算して、ＤＢ１２中の報償データを更新する。なお、紹介報償は、上記したように、ユーザ登録時ではなく、所定の条件が満足されたときに加算しても良く、また、被紹介報償をユーザＣに付与してもよい。
紹介者リストに複数の紹介者が存在し、そのうちの複数（すべてを含む）を新規登録者により選択可能にした場合、招待成立後の招待報酬は、選択された複数の紹介者に分割して与えられることになる。
【００１９】
一方、通信端末装置２ａ（又は２ｂ）のユーザＡ（又はＢ）がユーザ登録ページにアクセスしてきた場合、ユーザＡ（又はＢ）は登録済みであるため、ステップＳ２からステップＳ３に進んで、登録済みの内容を確認のために通信端末装置２ａに通知する。必要に応じて、登録済みの内容を修正できるようにしてもよい。
また、未登録の通信端末装置２ｄのユーザＤがユーザ登録ページにアクセスしてきた場合、ステップＳ２→ステップＳ４→ステップＳ５→ステップＳ６→ステップＳ７に進むが、通信端末装置２ｄから入手した連絡先一覧にいずれの登録済みユーザが含まれていない場合、ステップＳ７からステップＳ３に進み、そして処理が終了する。
【００２０】
なお、プラットフォーム内で用いる場合は、紹介者、被紹介者のユーザIDによる紐付けを行うが、従来例のようなミニメールやチャットなどのやり取りによる自動の紐付け(紹介者、被紹介者の決定）ではなく、紹介者候補リストから被紹介者(新規登録者）が選択することにより、紹介者が特定される。
【００２１】
上記した本発明に係るサーバ装置において、紹介者、被紹介者の双方がSNS（ソーシャルネットワークサービス）、例えば、Facebookを利用している場合、メールアドレスや電話番号ではなく、SNSのIDを用いて紐付ける（Facebookにログインする）ことができる。すなわち、アプリケーションがユーザ認証にFacebookを利用している場合、ユーザのFacebookIDが取得できていることになるため、それを利用する。手順としては、登録済みの紹介者がアプリケーションの起動処理等でFacebook認証を完了し、自分のFacebookのIDを、メールアドレスや電話番号と同様に当該アプリケーションのサーバ装置１に登録する。次に、被紹介者(新規登録者）が、アプリケーションを起動してやはりFacebookでの認証が完了すると、該被紹介者のFacebook内の友達IDを全て取得する。その友達IDの中でサーバ装置１上のIDと一致するものが紹介候補者となりリスト表示される。すなわち、メールアドレスや電話番号の代わりにFacebookのIDを利用し、電話帳や履歴の代わりにFacebookの友達リストを利用する。
【００２２】
本発明は上記したように構成されているので、システムに登録するだけで、アプリケーションを知り合いに紹介した場合と同様に紹介報償を得ることができるという作用効果を奏することができる。特に、アプリケーションの利用時にあらかじめ電話情報とメール情報を取得するようなアプリケーションの場合には、効果が大きい。
【図１】
0005890867.tif 000002
【図２】
0005890867.tif 000003
【図３】
0005890867.tif 000004